(57)【要約】  【課題】  木造建物における柱と土台等の横材を互いに強固に接合できる装置を提供する。  【解決手段】  土台等の横材に縦設した係合穴３に嵌挿した有底円筒状の接合金具４を、その底板４ａにおいて、前記横材を貫通させたボルト６とこれに螺合したナット８によって前記横材に締付ける。該横材より突出する前記接合金具４の上部を、柱９の端面に設けた円形状のスリット１０に嵌挿し、該上部と前記柱９を柱９に打込んだ接合杆１５Ａで互いに固着する。【選択図】    図１
2008156979.tif 000002
【特許請求の範囲】
【請求項１】
土台等の横材に縦設した係合穴に嵌挿した有底円筒状の接合金具を、その底板において、前記横材を貫通させたボルトとこれに螺合したナットによって前記横材に締付けると共に、該横材より突出する前記接合金具の上部を、柱の端面に設けた円形状のスリットに嵌挿し、該上部と前記柱を柱に打込んだ接合杆で互いに固着した、木造建物における柱と横材の接合装置。
【請求項２】
柱にスリットの軸線上にして組付け杆を嵌挿して止着し、該組付け杆に接合杆を貫通させた、請求項１記載の木造建物における柱と横材の接合装置。
【請求項３】
組付け杆に鍔部片を設け、該鍔部片をスリットの内側にして柱の端面に係合し、該鍔部片の隣接位置に接合杆を配した、請求項２記載の、木造建物における柱と横材の接合装置。
【発明の詳細な説明】
【技術分野】
【０００１】
この発明は木造建物の軸組を構成する柱と横材の接合装置に関するものである。
【背景技術】
【０００２】
木造建物の軸組装置において、柱と土台、梁等の横材を、接合金具を用いて接合する構造のものは、種々提案されているが、接合金具をパイプ体（筒体）で構成し、該パイプ体を柱と土台に設けた係合穴内嵌挿し、該パイプ体を通じてドリフトピンを前記柱又は土台に嵌挿して接合する構造のものがある（例えば、特許文献１）。
【０００３】
【特許文献１】特開平９−６０１１３号公報
【発明の開示】
【発明が解決しようとする課題】
【０００４】
前記従来構造のものは、引き抜きや剪断等の外力が柱に作用すると、パイプである接合金具を止着したドリフトピンを中心に柱が揺動しようとして接合強度が損なわれる場合がある。
【０００５】
本発明は、円筒体で構成した接合金具を適用した接合装置の上記のような欠点を回避して、接合強度を高めた装置を提供することを目的として創案したものである。
【課題を解決するための手段】
【０００６】
土台等の横材に縦設した係合穴に嵌挿した有底円筒状の接合金具を、その底板において、前記横材を貫通させたボルトとこれに螺合したナットによって前記横材に締付けると共に、該横材より突出する前記接合金具の上部を、柱の端面に設けた円形状のスリットに嵌挿し、該上部と前記柱を柱に打込んだ接合杆で互いに固着したことを基本的手段とし、この基本的手段に、柱にスリットの軸線上にして組付け杆を嵌挿して止着し、該組付け杆に接合杆を貫通させた構成を付加することにより尚一層接合強度を高めた装置を提供でき、さらに、組付け杆に鍔部片を設け、該鍔部片をスリットの内側にして柱の端面に係合し、該鍔部片の隣接位置に接合杆を配した点を付け加えることにより剪断強度を高めた装置を提供できる。
【発明の効果】
【０００７】
本発明によれば、柱と横架材を確実に接合できることは勿論、円筒状の接合金具の内側に柱部が嵌合する構成を採るものであるから、柱に外力が作用したとき該柱部の存在によって接合金具の変形を防ぐことができ、従って、より強固な接合装置を提供できる。
【実施例】
【０００８】
図面は本発明に係る柱と横材の接合装置の一実施例を示し、図１は一部欠截正面図、図２は図１のｘ−ｘ線断面図、図３は柱下部の断面図、図４は第二実施例の一部欠截正面図である。
【０００９】
図中、１は基礎コンクリート２上に載置した土台で、土台１は上面側を開口して縦設した係合穴３と該係合穴３の底壁中央に設けて係合穴３の底壁側と外部とを連通する貫通孔３´を備えて成るものである。この土台１の前記係合穴３に該係合穴３とほぼ同径の有底円筒体で成る接合金具４の下部を嵌挿し、該接合金具４の底板４ａに設けた透孔５に前記基礎コンクリート２にアンカー部を埋設して立設したアンカーボルト６の先（上）端６ａを前記貫通孔３´を通じて貫通させて、接合金具４を介して前記係合穴３内に突出させ、該先端６ａに座金７を介して締付けナット８を螺合し、基礎コンクリート２に土台１、およびこれに組合わせた接合金具４を締付けてある。
【００１０】
土台１より突出する、接合金具４の上部は、前記土台１上に立設した柱９の下面に設けた該上部と同径の円形状のスリット１０に嵌挿してある。
【００１１】
柱９は、下面中央に、前記接合金具４の円筒形と同軸上に位置するように設けた縦穴１１と、この縦穴１１と同軸上に位置するようにして該縦穴１１を取り囲むようにして設けた前記スリット１０とを備えたものである。この柱９の縦穴１１に管体で成る組付け杆１２を嵌挿し、該組付け杆１２の周側に交互に直角方向にして設けた通し孔１３を柱９に設けた貫通孔１４に一致させ、これらにドリフトピン１５を嵌挿して前記組付け杆１２を柱９に固着してある。
【００１２】
柱９に固着した組付け杆１２は、パイプ状本体１２ａの下端部に有底円形短筒状の鍔部片１２ｂを熔接して構成したもので、本体１２ａを、前記の通り、柱９側の縦穴１１に嵌挿してピン１５によって柱９に固着し、鍔部片１２ｂを柱９下面に、前記縦穴１１と前記スリット１０との連通位置にある凹入部１６に部分的に嵌合するようにして柱９に組付けたものである。
【００１３】
そして、組付け杆１２の鍔部片１２ｂは、その外径が前記接合金具４の内径と略一致して該接合金具４に収納され、その収納状態にあっては、柱９の下面より突出した下部が接合金具４を介して、前記土台１に設けた係合孔３に嵌挿され、土台１と柱９との境界すなわち土台１と柱９にまたがる位置に配されている。
【００１４】
この鍔部片１２ｂに隣接する、組付け杆本体１２ａ部に通し孔１３Ａを設け、前記柱９の下端部には該通し孔１３Ａと一致する位置にして貫通孔１４Ａを設け、これらに接合金具４に設けた通し孔１８を通じて接合杆１５Ａを嵌装して柱９を土台１に互いに接合してある。
【００１５】
土台１と柱９の接合作業は、基礎コンクリート２上に土台１を載置して接合金具４を土台１に組付けてアンカーボルト６とこれに螺合した締付けナット８によって締付けて土台１を基礎コンクリート２上に配設する一方、組付け杆１２をドリフトピン１５を用いて固着した柱９の下部のスリット１０に、土台１より突出した接合金具４を嵌挿するようにして柱９を土台１上に配置し、互いに一致する通し孔１３Ａと貫通孔１４Ａ（これらの位置合わせは、土台１と柱９の見込み幅が同幅であることを利用して行う）に、接合杆１５Ａを嵌挿打込むことによって終了する。
【００１６】
図４で示す第二実施例は、土台１に代えて梁等の横架材１０１を用い、該横架材１０１に上下の管柱９０，９０´を接合したもので、横架材１０１の上下両面に第一実施例と同様に係合穴３を設け、係合穴３同士を連通する貫通孔３´に前記アンカーボルト６に代る連結ボルト６Ａを貫通させ、各係合穴３に嵌挿した接合金具４の底板４ａを通じて該接合金具４内に連結ボルト６Ａの端部を突出させ、該端部に締付けナット８を螺合締付けて横架材１０１の上下両面に接合金具４を第一実施例のように部分的に突出させ、前記下管柱９０´の上面に設けたスリット１０に接合金具４を嵌挿し、そして、通し孔１３Ａ等に接合杆１５Ａを嵌挿して下管柱９０´上に横架材１０１を載置する一方、該横架材１０１上に第一実施例と同様に上管柱９０を接合して構成したもので、各部の構成等は同一符号で示す通り、矛盾のない限り第一実施例と同様であるので説明を省略する。すなわち、上管柱９０と横架材１０１との接合は、第一実施例のアンカーボルト６に代えて連結ボルト６Ａを、土台１に代えて横架材１０１としただけが異なるだけで、下管柱９０´と横架材１０１との接合は、上記上管柱９０と横架材１０１との関係を反転させた関係にして構成したものであるから、説明は省略する。
【図面の簡単な説明】
【００１７】
【図１】一部欠截正面図。
【図２】図１のｘ−ｘ線断面図。
【図３】柱下部の断面図。
【図４】第二実施例の一部欠截正面図。
【符号の説明】
【００１８】
３          係合穴
４          接合金具
６          アンカーボルト
８          ナット
９          柱
１０        スリット
１５Ａ      接合杆
【図１】
2008156979.tif 000003
【図２】
2008156979.tif 000004
【図３】
2008156979.tif 000005
【図４】
2008156979.tif 000006